(57)【要約】【課題】防水性と耐衝撃性を兼ね備えさせながら、装置全体を小型化すること。【解決手段】前面筐体部２３と、前面筐体部２３の前面側に設けられて、防水機能を有する表示防水部２２と、表示防水部２２の前面側に設けられて、画面に触れることで入力を行う表示入力部１１と、表示入力部１１の前面側に設けられて、表示入力部１１を保護する表示保護部２１と、前面筐体部２３の背面側に設けられて、防水機能を有する筐体防水部２６と、筐体防水部２６の背面側に設けられて、筺体の背面を構成する背面筐体部２７と、溝部を有し、前面筐体部２３、表示防水部２２、表示入力部１１、表示保護部２１、筐体防水部２６及び背面筐体部２７を、溝部内に挟み込んで圧接挟持して、筐体の側面をカバーする側面保護部１２、１３とを備える。【選択図】図２
2014239274.tif 000002
【特許請求の範囲】
【請求項１】
前面筐体部と、
前記前面筐体部の前面側に設けられて、防水機能を有する表示防水部と、
前記表示防水部の前面側に設けられて、画面に触れることで入力を行う表示入力部と、
前記表示入力部の前面側に設けられて、前記表示入力部を保護する表示保護部と、
前記前面筐体部の背面側に設けられて、防水機能を有する筐体防水部と、
前記筐体防水部の背面側に設けられて、筺体の背面を構成する背面筐体部と、
溝部を有し、前記前面筐体部、前記表示防水部、前記表示入力部、前記表示保護部、前記筐体防水部及び前記背面筐体部を、前記溝部内に挟み込んで圧接挟持して、筐体の側面をカバーする側面保護部と
を備える携帯端末装置。
【請求項２】
前記側面保護部は、２分割されており、筺体の右半分の側面全体と左半分の側面全体とを、各々内側に設けられた前記溝部に挟み込んで両側面をカバーする
請求項１に記載の携帯端末装置。
【請求項３】
前記側面保護部は、４分割されており、該４分割された側面保護部の各々に対応する４区画の筺体の側面を、各々内側に設けられた前記溝部に挟み込んで両側面をカバーする
請求項１に記載の携帯端末装置。
【請求項４】
前記側面保護部は、筺体の側面の全周を覆う
請求項１から３のいずれか一項に記載の携帯端末装置。
【請求項５】
前記側面保護部は、固定具である複数の保護部固定部によって、筺体に固定されている
請求項１から４のいずれか一項に記載の携帯端末装置。
【請求項６】
前記複数の保護部固定部の各々の周囲は、前記保護部固定部が落下面に直接接触することを防止する高さを有している
請求項５に記載の携帯端末装置。
【発明の詳細な説明】
【技術分野】
【０００１】
本発明は、携帯端末装置に関する。
【背景技術】
【０００２】
電子部品の小型化、高性能化に伴って、各種の電子機器は、携帯することを目的に開発されている。
【０００３】
このような背景に関連する技術としては、様々なものが知られている（例えば、特許文献１参照。）。
【０００４】
例えば、特許文献１には、ペン入力型コンピュータ、ノート型パーソナルコンピュータその他の携帯型電子機器の筐体に適用して好適なる電子機器の耐衝撃構造が記載されている。より具体的に説明すると、この電子機器の耐衝撃構造は、相互にその周端部を突き合わせ状にして、電子機器の構成部分を覆う分割された一対のケース部材を備える。また、この電子機器の耐衝撃構造は、一対のケース部材の突き合わされた周端部の内周側に配置される第１の補強部材を備える。また、この電子機器の耐衝撃構造は、一対のケース部材の突き合わされた周端部の外周側に配置される第２の補強部材を備える。また、この電子機器の耐衝撃構造は、第１及び第２の補強部材を相互に近づける方向に締め付けて、一対のケース部材の突き合わされた周端部を第１及び第２の補強部材によって挟み付けるように作用させる締結部材を備える。このようにして、この電子機器の耐衝撃構造によっては、電子機器が落下によって衝撃を受けた場合に、上下ケース間の突き合わせ部分における相互のずれが抑えられる。
【０００５】
また、使用中、又は持ち運び移動中等の落下衝撃に対して考慮している情報処理装置には、本体部分に衝撃吸収材を設けたものがある。
【０００６】
このような背景に関連する技術としては、様々なものが知られている（例えば、特許文献２参照。）。
【０００７】
例えば、特許文献２には、上ケース及び下ケースから成る本体部と、本体部に制御基板及び表示装置とを備えた情報処理装置が記載されている。より具体的に説明すると、この情報処理装置は、本体部左右両端にはそれぞれ弾性体から成るグリップを備える。また、この情報処理装置は、グリップに熱可塑性樹脂から成る芯材を備える。このようにして、この技術によっては、耐衝撃性に優れる情報処理装置を提供することができる。
【先行技術文献】
【特許文献】
【０００８】
【特許文献１】特開平１１−２８４３５８号公報
【特許文献２】特開２００１−３３７７４３号公報
【発明の概要】
【発明が解決しようとする課題】
【０００９】
図８は、一般的な携帯端末装置８００の外観の一例を示す。図９は、携帯端末装置８００を分解した状態の一例を示す。図１０は、携帯端末装置８００の断面の一例を示す。
【００１０】
携帯端末装置８００は、タッチパネル８１、前面保護部８２、背面保護部８３、受話部８４及び発話部８５を備える。また、この携帯端末装置８００は、表示保護部９１、表示防水部９２、前面筐体部９３、回路部９４、電池部９５、筐体防水部９６、及び背面筐体部９７を備える。
【００１１】
携帯端末装置８００は、衝撃からの保護を目的とした前面保護部８２と背面保護部８３とが、表示防水部９２と筐体防水部９６とを個別に押さえ込む構造である。このような構造の携帯端末装置８００は、外部から衝撃が加えられて、表示防水部９２と筐体防水部９６とに、それぞれを引き剥がそうとする力が働くため、その力へ対抗するために、これらの防水部を広く確保する必要がある。このため、装置本体の小型化に制約を受ける。
【００１２】
なお、前述の特許文献１に記載の携帯端末装置の場合、一対のケース部材の突き合わされた周端部の内周側に配置される第１の補強部材と、該周端部の外周側に配置される第２の補強部材とが必要となり、筐体全体の小型化が困難となり、コスト的にも割高となる。
【００１３】
また、前述の特許文献１に記載の携帯端末装置の場合、下ケースを基準にして、上ケースに向かって内蔵する部品を積み上げる構成としているが、ケース全体の耐衝撃性を図る構造上の工夫、特に、下ケースと上ケースとの結合力を強化する手段については、何も触れられていない。
【００１４】
本発明の目的は、上述した課題を解決する携帯端末装置を提供することにある。
【課題を解決するための手段】
【００１５】
上記課題を解決するために、本発明の第１の形態によると、携帯端末装置であって、前面筐体部と、前面筐体部の前面側に設けられて、防水機能を有する表示防水部と、表示防水部の前面側に設けられて、画面に触れることで入力を行う表示入力部と、表示入力部の前面側に設けられて、表示入力部を保護する表示保護部と、前面筐体部の背面側に設けられて、防水機能を有する筐体防水部と、筐体防水部の背面側に設けられて、筺体の背面を構成する背面筐体部と、溝部を有し、前面筐体部、表示防水部、表示入力部、表示保護部、筐体防水部及び背面筐体部を、溝部内に挟み込んで圧接挟持して、筐体の側面をカバーする側面保護部とを備える。
【００１６】
なお、上記の発明の概要は、本発明の特徴の全てを列挙したものではない。また、これらの特徴群のサブコンビネーションもまた、発明となり得る。
【発明の効果】
【００１７】
以上の説明から明らかなように、この発明によっては、防水性と耐衝撃性を備えつつ、装置全体を小型化することができる。
【図面の簡単な説明】
【００１８】
【図１】第１の実施形態に係る携帯端末装置１００の外観の一例を示す図である。
【図２】携帯端末装置１００を分解した状態の一例を示す図である。
【図３】携帯端末装置１００の断面の一例を示す図である。
【図４】第２の実施形態に係る携帯端末装置２００の外観の一例を示す図である。
【図５】第３の実施形態に係る携帯端末装置３００の外観の一例を示す図である。
【図６】携帯端末装置３００を分解した状態の一例を示す図である。
【図７】携帯端末装置３００の断面の一例を示す図である。
【図８】一般的な携帯端末装置８００の外観の一例を示す図である。
【図９】携帯端末装置８００を分解した状態の一例を示す図である。
【図１０】携帯端末装置８００の断面の一例を示す図である。
【発明を実施するための形態】
【００１９】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２０】
図１は、第１の実施形態に係る携帯端末装置１００の外観の一例を示す。図２は、携帯端末装置１００を分解した状態の一例を示す。図３は、携帯端末装置１００の断面の一例を示す。
【００２１】
携帯端末装置１００は、タッチパネル１１、側面保護部１２、１３、受話部１４及び発話部１５を備える。側面保護部１２、１３は、２分割された側面保護部のそれぞれ一方であり、２分割されて成る両側面は、この実施形態の特徴的な構成要素である。側面保護部１２、１３の内側は溝部を形成しており、この溝部は、他の構成要素の側面を内包してカバーし、これらの構成要素を全体として圧接挟持する。また、この携帯端末装置１００は、表示保護部２１、表示防水部２２、前面筐体部２３、回路部２４、電池部２５、筐体防水部２６、及び背面筐体部２７を備える。なお、タッチパネル１１は、この発明における「表示入力部」の一例であってよい。
【００２２】
携帯端末装置１００は、タッチパネル１１を保護する表示保護部２１を備えるものである。また、防水機能を有する表示防水部２２は、表示保護部２１及び前面筐体部２３に、それぞれ密着しており、これにより、防水機能を保持させる。前面筐体部２３は、表示防水部２２を介して表示保護部２１を表側に配置している。また、前面筐体部２３は、筐体防水部２６を介して背面筐体部２７を裏側に配置している。
【００２３】
前面筐体部２３は、回路部２４及び電池部２５を内包する。防水機能を有する筐体防水部２６は、前面筐体部２３及び背面筐体部２７に、それぞれ密着しており、これにより、防水機能を保持させる。また、側面保護部１２、１３は、表示保護部２１及び背面筐体部２７を押さえ込む。背面筐体部は、携帯端末装置１００の筐体の背面を構成する部材である。
【００２４】
携帯端末装置１００は、耐衝撃性能と防水性能を備えたものである。即ち、衝撃に対する保護機能を有する少なくとも２つの側面保護部１２、１３が、前述のとおり、表示防水部２２と筐体防水部２６とを同時に押さえ込む構造を備えていることを特徴とする（図２参照）。この構造により、外部の衝撃が本装置本体に加えられて、携帯端末装置１００の筐体が変形負荷を受けた際にも、表示防水部２２及び筐体防水部２６は、少なくとも２つの側面保護部１２、１３によって押さえ込まれた状態を保つ。
【００２５】
また、上記の構造により、表示防水部２２及び筐体防水部２６は、引き剥がされる力に対抗することができる。上述のとおり、少なくとも２つの側面保護部１２、１３が、表示防水部２２と筐体防水部２６とを同時に押さえ込む構造とすることにより、表示防水部２２及び筐体防水部２６を小型化することが可能となる。なお、ここでは、側面保護部１２、１３は、携帯端末装置１００の筐体全体を左右半分に分けて、それぞれ片側の側面保護を受け持つものである（図１参照）。
【００２６】
以下、携帯端末装置１００の機能を、具体的に説明する。装置本体の筐体に衝撃が加わった際は、装置全体が変形することが有る。あるいは装置本体の各部が多様な変形を示すことが有る。より具体的には、装置本体の筐体に衝撃が加わった際には、表示保護部２１及び背面筐体部２７が、前面筐体部２３から離れようとする挙動を示すことが有る。
【００２７】
このような挙動が生じると、表示防水部２２には、自己が密着している表示保護部２１及び前面筐体部２３から、自己が引き剥がされる力が掛かる。また、筐体防水部２６には、自己が密着している前面筐体部２３及び背面筐体部２７から、自己が引き剥がされる力が掛かる。この時、側面保護部１２、１３が、表示保護部２１及び背面筐体部２７を押さえ込むことによって、表示防水部２２及び筐体防水部２６へ加えられる力が軽減される。
【００２８】
携帯端末装置１００によれば、複数の側面保護部１２、１３に、表示保護部２１及び背面筐体部２７を押さえ込ませることによって、表示防水部２２及び筐体防水部２６に加えられる力が軽減される。これにより、表示防水部２２及び筐体防水部２６は、表示保護部２１を、前面筐体部２３に密着させる。この密着状態は保持する力を弱めても確保されるため、表示防水部２２及び筐体防水部２６を、より小型化することができる。
【００２９】
上記の効果に加えて、筐体防水部２６は、背面筐体部２７を前面筐体部２３に密着させる。この密着状態は保持する力を弱めても確保されるため、筐体防水部２６を、より小型化することができる。上記のとおり、これらの防水部を小型化することが可能になることにより、携帯端末装置１００全体を小型化することができる効果が得られる。
【００３０】
図４は、第２の実施形態に係る携帯端末装置２００の外観の一例を示す。
【００３１】
携帯端末装置２００は、タッチパネル１１、側面保護部４２〜４５、受話部４６、及び発話部４７を備える。この実施形態では、筺体の周囲に配した２つ以上の側面保護部４２〜４５により、タッチパネル１１などを保護する。側面保護部４２〜４５の内側は溝部を形成しており、この溝部は、他の構成要素の側面を内包してカバーし、これらの構成要素を全体として圧接挟持する。
【００３２】
図５は、第３の実施形態に係る携帯端末装置３００の外観の一例を示す。図６は、携帯端末装置３００を分解した状態の一例を示す。図７は、携帯端末装置３００の断面の一例を示す図である。
【００３３】
携帯端末装置３００は、タッチパネル１１、側面保護部５２、５３、受話部５４、発話部５５、及び保護部固定部５６を備える。この実施形態では、筺体の周囲に配した２つの側面保護部５２、５３により、タッチパネル１１などを保護すると共に、これらの側面保護部を保護部固定部５６により、筺体に固定する。側面保護部５２、５３の内側は溝部を形成しており、この溝部は、他の構成要素の側面を内包してカバーし、これらの構成要素を全体として圧接挟持する。
【００３４】
また、携帯端末装置３００は、表示保護部２１、表示防水部２２、前面筐体部２３、回路部２４、電池部２５、筐体防水部２６、及び背面筐体部２７を備える。この実施形態では、表示防水部６２が、表示保護部２１と、前面筐体部２３とにそれぞれ密着することで防水機能が発揮される。また、前面筐体部２３は、回路部２４及び電池部２５を内包する。また、筐体防水部２６は、前面筐体部２３と、背面筐体部２７とにそれぞれ密着することで防水機能を発揮する。さらに、側面保護部５２、５３は、表示保護部２１及び背面筐体部２７を押さえ込む。４つの保護部固定部５６は、側面保護部５２、５３を前面筐体部２３に固定する。
【００３５】
また、携帯端末装置３００は、前面保護部５７を備える。表示防水部２２は、表示保護部２１と、前面筐体部２３とにそれぞれ密着することで防水機能を発揮する。
【００３６】
図７において、前面筐体部２３は、回路部２４（図６）及び電池部２５（図６）を内包する。また、筐体防水部２６は、前面筐体部２３と、背面筐体部２７とにそれぞれ密着することで防水機能を発揮する。また、側面保護部５２、５３は、表示保護部２１及び背面筐体部２７を押さえ込む。また、４つの保護部固定部５６（図６参照）は、側面保護部５２、５３を前面筐体部２３に固定する。なお、この４つの保護部固定部５６の各々は、側面保護部５２及び側面保護部５３に形成された４つの突出部分の、それぞれ内側に入れ込む構造とする。これにより、この４つの保護部固定部５６の各々は、落下時などに直接落下面には触れないので、自己を衝撃から保護することができる。
【符号の説明】
【００３７】
１１  タッチパネル
１２  側面保護部
１３  側面保護部
１４  受話部
１５  発話部
２１  表示保護部
２２  表示防水部
２３  前面筐体部
２４  回路部
２５  電池部
２６  筐体防水部
２７  背面筐体部
４２  側面保護部
４３  側面保護部
４４  側面保護部
４５  側面保護部
４６  受話部
４７  発話部
５２  側面保護部
５３  側面保護部
５４  受話部
５５  発話部
５６  保護部固定部
５７  前面保護部
【図１】
2014239274.tif 000003
【図２】
2014239274.tif 000004
【図３】
2014239274.tif 000005
【図４】
2014239274.tif 000006
【図５】
2014239274.tif 000007
【図６】
2014239274.tif 000008
【図７】
2014239274.tif 000009
【図８】
2014239274.tif 000010
【図９】
2014239274.tif 000011
【図１０】
2014239274.tif 000012